(57)【要約】【課題】１台の３Ｄ映像表示装置を複数の視聴者が視聴中であっても、３Ｄ視聴用メガネ側で個別に適正視聴距離より接近したか否かを検出することにより、適正視聴距離より接近しすぎた視聴者に対してのみ警告を発し、適正視聴距離で視聴している視聴者に対しては、快適な視聴を維持する。【解決手段】本発明の３Ｄ視聴用メガネは、３Ｄ映像表示装置から赤外線と超音波の２つの方式で伝送される映像同期信号を受信し、赤外線で受信した信号と超音波で受信した信号の位相が３Ｄ映像表示装置との距離により変化することを用いて距離を計測し、３Ｄ映像表示装置と３Ｄ視聴用メガネとの距離が、適正視聴距離（視聴画面の約３倍)より近づいたことを検出した場合、３Ｄ視聴用メガネは、３Ｄ映像視聴機能を停止することで適正視聴距離より接近した視聴者に警告を発する。【選択図】図２
2012256996.tif 000002
【特許請求の範囲】
【請求項１】
３Ｄ映像表示装置に表示された３Ｄ映像を３Ｄ視聴用メガネで視聴可能な３Ｄ映像表示システムであって、
前記３Ｄ映像表示装置は、
映像同期信号のパルス幅を所定の割合で２倍に広げた第１の同期信号を生成する同期処理部と、
前記第１の同期信号を赤外線信号として送信する赤外線送信部と、
前記第１の同期信号に所定の時間の位相差を発生させた第２の同期信号を生成する信号遅延調整部と、
前記第２の同期信号を超音波信号として送信する超音波送信部と、を備え、
前記３Ｄ視聴用メガネは、
前記第１の同期信号を受信する赤外線受信部と、
前記第２の同期信号を受信する超音波受信部と、
受信された前記第１の同期信号において２倍に広げたパルスだけから構成される第１信号を生成する第１同期処理部と、
受信された前記第２の同期信号において２倍に広げたパルスだけから構成される第２信号を生成する第２同期処理部と、
前記第１信号と前記第２信号の位相差を比較する位相比較部と、
前記位相比較部の比較結果に応じて、前記３Ｄ映像表示装置と前記３Ｄ視聴用メガネとの距離を判断し、前記距離が適正視聴距離内であると判断された場合は３Ｄ映像での視聴を停止させる停止信号を出力する距離判断部と、
受信された前記第１信号または前記停止信号に応じて、液晶シャッターの開閉を制御する液晶制御部と、
を具備することを特徴とする３Ｄ映像表示システム。
【請求項２】
３Ｄ映像表示装置に表示された３Ｄ映像を３Ｄ視聴用メガネで視聴可能な３Ｄ映像表示システムであって、
前記３Ｄ映像表示装置は、
映像同期信号のパルス幅を所定の割合で２倍に広げた第１の同期信号を生成する同期処理部と、
前記３Ｄ視聴用メガネに対して、前記第１の同期信号を赤外線として送信する赤外線送信部と、
前記第１の同期信号に所定の時間の位相差を発生させた第２の同期信号を生成する信号遅延調整部と、
前記３Ｄ視聴用メガネに対して、前記第２の同期信号を超音波として送信する超音波送信部と、を具備することを特徴とする３Ｄ映像表示装置。
【請求項３】
３Ｄ映像表示装置に表示された３Ｄ映像を３Ｄ視聴用メガネで視聴可能な３Ｄ映像表示システムであって、
前記３Ｄ視聴用メガネは、
前記３Ｄ映像表示装置から、映像同期信号のパルス幅を所定の割合で２倍に広げた第１の同期信号を赤外線信号として受信する赤外線受信部と、
前記３Ｄ映像表示装置から、前記第１の同期信号に所定の時間の位相差を発生させた第２の同期信号を超音波信号として受信する超音波受信部と、
受信された前記第１の同期信号において２倍に広げたパルスだけから構成される第１信号を生成する第１同期処理部と、
受信された前記第２の同期信号において２倍に広げたパルスだけから構成される第２信号を生成する第２同期処理部と、
前記第１信号と前記第２信号の位相差を比較する位相比較部と、
前記位相比較部の比較結果に応じて、前記３Ｄ映像表示装置と前記３Ｄ視聴用メガネとの距離を判断し、前記距離が適正視聴距離内であると判断された場合は３Ｄ映像での視聴を停止させる停止信号を出力する距離判断部と、
受信された前記第１信号または前記停止信号に応じて、液晶シャッターの開閉を制御する液晶制御部と、
を具備することを特徴とする３Ｄ視聴用メガネ。
【発明の詳細な説明】
【技術分野】
【０００１】
本発明は３Ｄ映像表示システム、３Ｄ視聴用メガネ及び３Ｄ映像表示装置に関し、更に詳しくは、３Ｄ視聴用メガネを用いて３Ｄ映像表示装置を視聴中に適正視聴距離より近づくと近づいた人にだけ、警告を発することが可能な３Ｄ映像表示システム、３Ｄ視聴用メガネ及び３Ｄ映像表示装置に関する。
【背景技術】
【０００２】
３Ｄ映像の視聴に関しては、長時間の視聴や適正視聴距離（視聴画面の約３倍)より近づくことによる健康問題などが指摘されている。そのため、３Ｄ映像表示装置を視聴中に適正視聴距離より近づくと、警告を発する機能を有する３Ｄ映像表示装置も存在する（例えば、特許文献１参照）。
【先行技術文献】
【特許文献】
【０００３】
【特許文献１】特開平０１−２０６７９８号公報
【発明の概要】
【発明が解決しようとする課題】
【０００４】
しかしながら、上記従来の３Ｄ映像表示装置では、３Ｄ映像表示装置側で視聴者の接近を検出して警告を発するため、複数の視聴者が同時に存在している場合には、適正視聴距離より近づきすぎた視聴者だけでなく、適正視聴距離で視聴中の視聴者に対しても警告を発してしまうという課題を有していた。
【０００５】
本発明は、前記従来の課題を解決するもので、３Ｄ視聴用のメガネを使用する方式の３Ｄ映像表示システムにおいて、３Ｄ視聴用メガネで３Ｄ映像表示装置との距離を検出し、適正視聴距離か否かを判断して警告を発することで、適正視聴距離より接近しすぎた視聴者に対してのみ警告を発し、適正視聴距離で視聴している視聴者に対しては、快適な視聴を維持することが可能な３Ｄ映像表示システム、３Ｄ視聴用メガネ及び３Ｄ映像表示装置を提供することを目的とする。
【課題を解決するための手段】
【０００６】
上記従来の課題を解決するために、本発明の３Ｄ視聴用メガネは、３Ｄ映像表示装置から赤外線と超音波の２つの方式で伝送される映像同期信号を受信し、赤外線で受信した信号と超音波で受信した信号の位相が３Ｄ映像表示装置との距離により変化することを用いて距離を計測し、３Ｄ映像表示装置と３Ｄ視聴用メガネとの距離が、適正視聴距離（視聴画面の約３倍)より近づいたことを検出した場合、３Ｄ視聴用メガネは、３Ｄ映像視聴機能を停止することで適正視聴距離より接近した視聴者に警告を発する。
【発明の効果】
【０００７】
本発明によれば、１台の３Ｄ映像表示装置を複数の視聴者が視聴中であっても、３Ｄ視聴用メガネ側で個別に適正視聴距離より接近したか否かを検出することにより、適正視聴距離より接近しすぎた視聴者に対してのみ警告を発し、適正視聴距離で視聴している視聴者に対しては、快適な視聴を維持することが可能となる。
【図面の簡単な説明】
【０００８】
【図１】３Ｄ視聴用メガネを用いた３Ｄ映像表示システムの一般的な構成を示すブロック図
【図２】本発明の実施の形態１における３Ｄ視聴用メガネを用いた３Ｄ映像表示システムの構成を示すブロック図
【図３】同実施の形態における同期信号の状態を示す図
【発明を実施するための形態】
【０００９】
以下本発明を実施するための形態について、図面を参照しながら説明する。
【００１０】
（実施の形態１）
図１は、３Ｄ視聴用メガネを用いた３Ｄ映像表示システムの一般的な構成を示すブロック図である。３Ｄ映像表示システムは、３Ｄ映像表示装置１００と３Ｄ視聴用メガネ１０００から構成される。３Ｄ映像表示装置１００では、同期処理部１０１が生成した３Ｄ視聴用メガネ１０００を制御するための同期信号（３Ｄ視聴用メガネ信号の同期信号）を、赤外線送信部１０２を用いて３Ｄ視聴用メガネ１０００に送信する。３Ｄ視聴用メガネ１０００は、赤外線受信部１００１において３Ｄ視聴用メガネ制御の同期信号を受信する。そして、同期処理部１００２において、赤外線受信部１００１で受信した３Ｄ視聴用メガネ制御の同期信号を３Ｄ視聴用メガネ１０００の左右の液晶シャッターを制御するための信号に変換し、液晶制御部１００３において、同期処理部１００２が変換した信号を用いて、３Ｄ視聴用メガネ１０００の左右の液晶シャッターの開閉を制御して、視聴者に３Ｄ映像表示装置１００が表示した３Ｄ映像を視聴させる。このため、３Ｄ視聴用メガネ１０００は、３Ｄ映像表示装置１００から同期信号を受信している限り、適正視聴距離に関係なく、３Ｄ映像が視聴可能な状態を維持する。
【００１１】
図２は、本実施の形態における３Ｄ視聴用メガネを用いた３Ｄ映像表示システムの構成を示すブロック図である。そして、図３は、本実施の形態における同期信号の状態を示す図である。以下、図２及び図３を用いて、本実施の形態にかかる３Ｄ映像表示システムの警告処理について説明する。
【００１２】
３Ｄ映像表示システムは、３Ｄ映像表示装置２００と３Ｄ視聴用メガネ２０００から構成される。３Ｄ映像表示装置２００は、同期処理部２０１と、信号遅延調整部２０２と、赤外線送信部２０３と、超音波送信部２０４とから構成される。３Ｄ視聴用メガネ２０００は、赤外線受信部２００１と、超音波受信部２００２と、第１同期処理部２００３と、第２同期処理部２００４と、位相比較部２００５と、距離判別部２００６と、液晶制御部２００７とから構成される。
【００１３】
３Ｄ映像表示装置２００の同期処理部２０１は、３Ｄ映像に同期している同期信号３０１（元となる同期信号）に対して４つに１つの割合で、パルスの幅を２倍に広げた波形３０２（３Ｄ視聴用メガネ制御の同期信号）を生成する。同期処理部２０１が生成した３Ｄ視聴用メガネ制御の同期信号３０２は、赤外線送信部２０３によって、３Ｄ視聴用メガネ２０００の赤外線受信部２００１に送信される。信号遅延調整部２０２は、３Ｄ視聴用メガネ制御の同期信号３０２に対して３Ｄ映像表示装置２００の画面の３倍の高さ（単位メートル)÷３４０の時間の位相差を生じさせた信号３０３（距離測定用の同期信号）を生成する。信号遅延調整部２０２が生成した同期信号３０３は、超音波送信部２０４によって、３Ｄ視聴用メガネ２０００の超音波受信部２００２に送信される。
【００１４】
３Ｄ視聴用メガネ２０００は、赤外線受信部２００１で３Ｄ視聴用メガネ制御の同期信号３０２を受信し、超音波受信部２００２で距離測定用の同期信号３０３を受信する。第１同期処理部２００３は、３Ｄ視聴用メガネ制御の同期信号３０２において２倍に広げられたパルスだけからなる波形３０４を生成する。液晶制御部２００７は、赤外線受信部２００１で受信された３Ｄ視聴用メガネ制御の同期信号３０２を用いて液晶シャッターを制御し、視聴者に３Ｄ映像を視聴させる。
【００１５】
第２同期処理部２００４は、距離測定用の同期信号３０３において２倍に広げられたパルだけからなる波形３０４を生成する。位相比較部２００５は、第１同期処理部２００３で生成された同期信号３０４と第２同期処理部２００４で生成された同期信号３０４の位相差を比較する。超音波で送信された同期信号は、赤外線で送信された同期信号よりも３Ｄ映像表示装置から距離が離れるほど、光と音の伝搬速度の差によりに受信が遅れる。３Ｄ視聴用メガネ２０００に送信されてくる２つの同期信号（３Ｄ視聴用メガネ制御の同期信号３０２、距離測定用の同期信号３０３）は、予め、信号遅延調整部２０２により、３Ｄ映像表示装置２００の画面の３倍の高さ（単位メートル)÷３４０の時間の位相差を生じさせて送信されている。そのため、適正視聴距離では２つの同期信号の位相差がなくなり、適正視聴距離より近づくと超音波で送信された同期信号が赤外線で送信された同期信号より早くなり、適正視聴距離より離れると超音波で送信された同期信号が赤外線で送信された同期信号より遅くなる。距離判別部２００６は、位相比較部２００５の検出結果を用いて、３Ｄ視聴用メガネ２０００を装着した視聴者が適正視聴距離より近づいた状態を検出すると、液晶制御部２００７に対して、３Ｄ映像での視聴を停止させる信号を発生する。液晶制御部２００７は、３Ｄ映像での視聴を停止させる信号が入力されると、液晶シャッターの開閉動作を停止させ、３Ｄ映像を２Ｄ映像で視聴させることにより視聴者が適正視聴距離範囲内に存在することを警告する。
【産業上の利用可能性】
【００１６】
本発明によれば、１台の３Ｄ映像表示装置を複数の視聴者が視聴中であっても、３Ｄ視聴用メガネ側で個別に適正視聴距離より接近したか否かを検出することにより、適正視聴距離より接近しすぎた視聴者に対してのみ警告を発し、適正視聴距離で視聴している視聴者に対しては、快適な視聴を維持することが可能となるので、３Ｄ視聴用メガネを用いて３Ｄ映像を視聴可能な全ての３Ｄ映像表示システムにおいて有用である。
【符号の説明】
【００１７】
１００、２００    ３Ｄ映像表示装置
１０１、２０１、１００２    同期処理部
１０２、２０３    赤外線送信部
２０２    信号遅延調整部
２０４    超音波送信部
１０００、２０００    ３Ｄ視聴用メガネ
１００１、２００１    赤外線受信部
１００３、２００７    液晶制御部
２００２    超音波受信部
２００３    第１同期処理部
２００４    第２同期処理部
２００５    位相比較部
２００６    距離判別部
【図１】
2012256996.tif 000003
【図２】
2012256996.tif 000004
【図３】
2012256996.tif 000005